(57)【要約】【課題】キャビネットと引出しとに回転防止専用の部品を取り付けることなく、引出しの回転を防止できるキャビネットを提供する。【解決手段】レール部材によって引き出し自在に設けられた引出し２０を備えたキャビネット１０であって、レール部材が、引出しの左右側面に設けられるインナレール３１０Ｌ，３１０Ｒと、インナレールをガイドすると共にキャビネットの左右側板の内面に設けられるアウタレールと、から成り、インナレールは、上縁から横方向に突出したインナ側突片と、後部にインナ側ローラと、を有し、アウタレールは、インナ側突片を載せるアウタ側ローラを前部に設けるとともに、下縁から横方向に突出してインナ側ローラを載せるアウタ側突片を設け、一方のアウタレールはインナレール用のローラ脱落防止片を有し、ローラ脱落防止片を有するアウタレールによってガイドされるインナレール３１０Ｒは引出し２０の背板２３よりも後側へ突出している。【選択図】図３
2011161171.tif 000002
【特許請求の範囲】
【請求項１】
レール部材によって引き出し自在に設けられた引出しを備えたキャビネットであって、
上記レール部材が、上記引出しの左右側面に設けられるインナレールと、上記インナレールをガイドすると共に上記キャビネットの左右側板の内面に設けられるアウタレールと、から成り、
上記インナレールは、上縁から横方向に突出したインナ側突片と、後部にインナ側ローラと、を有し、
上記アウタレールは、上記インナ側突片を載せるアウタ側ローラを前部に設けるとともに、下縁から横方向に突出して上記インナ側ローラを載せるアウタ側突片を設け、
一方のアウタレールはインナレール用のローラ脱落防止片を有し、
上記ローラ脱落防止片を有するアウタレールによってガイドされるインナレールは引出しの背板よりも後側へ突出している、キャビネット。
【請求項２】
前記インナ側突片は、前記インナ側ローラ寄りの位置に、アウタ側ローラが前記インナ側ローラに近づくことを防止する第1規制部を有し、
さらに、上記第１規制部による前記インナ側ローラと前記アウタ側ローラとの間隔よりも広い間隔位置で、前記インナ側ローラが前記アウタ側ローラへ近づくことを防止する第２規制部を有することを特徴とする、請求項１に記載のキャビネット。
【発明の詳細な説明】
【技術分野】
【０００１】
本発明は、レール部材によって引き出し自在に設けられた引出しを備えたキャビネットに関する。
【背景技術】
【０００２】
システムキッチンや洗面化粧台を構成するキャビネットとして、引出しを設けたキャビネットが広く用いられている。
図５（Ａ）及び（Ｂ）は従来のキャビネット１００の一例を示す概略断面図であり、（Ａ）は引出し２００を閉じた状態を、（Ｂ）は引出し２００を開けた状態をそれぞれ示している。
【０００３】
引出し２００はレール部材３００を介してキャビネット１００に取り付けられている。レール部材３００は、引出し２００の左右側面に設けられたインナレール３１０Ｌ，３１０Ｒと、キャビネット１００の左右側板１１０Ｌ，１１０Ｒの内面に設けられていて、インナレール３１０Ｌ，３１０Ｒをガイドるアウタレール３２０Ｌ，３２０Ｒと、から構成される。
【０００４】
ここで、図６（Ａ）はキャビネットの右側板の内面に取り付けられるアウタレール３２０Ｒであり、図６（Ｂ）はアウタローラ３２０Ｒにガイドされるインナレール３１０Ｒである。
【０００５】
図７は図６（Ａ）のＡ−Ａ線断面図である。図６及び図７に示すように、アウタレール３２０Ｒは、キャビネットの右側板１１０Ｒの内面に固定される長方形型プレートに形成された取付部３２１Ｒと、この取付部３２１Ｒの上縁から左横方向（図７の−Ｙ方向）へ突出した上片３２２Ｒと、この突片３２２Ｒの先端から下方へ延出したローラ脱輪防止片３２３Ｒと、取付部３２１Ｒの下縁から左横方向へ突出した下片３２４Ｒと、取付部３２１Ｒの前部に設けたアウタ側ローラ３２５Ｒと、から構成されている。
【０００６】
インナレール３１０Ｒは、引出し２００の側板として機能するプレート状の本体部３１１Ｒと、本体部３１１Ｒの上縁から右横方向（図６（Ａ）のＹ方向）へ突出しており前述のアウタ側ローラ３２５Ｒに載る突片３１２Ｒと、本体部３１１Ｒの後側上部に設けられると共に、アウタレール３２０Ｒの下片３２４Ｒに載るインナ側ローラ３１５Ｒと、から構成されている。
【０００７】
ここで、図８（Ａ）はキャビネット１００の左側の側板１１０Ｌの内面に取り付けられるアウタレール３２０Ｌであり、図８（Ｂ）はアウタローラ３２０Ｌにガイドされるインナレール３１０Ｌである。
【０００８】
図９は図８（Ａ）のＢ−Ｂ線に沿った断面図である。図８及び図９に示すように、アウタレール３２０Ｌは、左側板１１０Ｌの内面に固定される長方形型プレートに形成された取付部３２１Ｌと、この取付部３２１Ｌの上縁から右横方向（図９のＹ方向）へ突出した上片３２２Ｌと、取付部３２１Ｌの下縁から右横方向へ突出した下片３２４Ｌと、取付部３２１Ｌの前部に設けたアウタ側ローラ３２５Ｌと、から構成されている。
【０００９】
インナレール３１０Ｌは、引出し２００の左側板として機能するプレート状の本体部３１１Ｌと、本体部３１１Ｌの上縁から左横方向（図８の−Ｙ方向）へ突出しており前述のアウタ側ローラ３２５Ｌに載る突片３１２Ｌと、本体部３１１Ｌの後側上部に設けられると共に、アウタレール３２０Ｌの下片３２４Ｌに載るインナ側ローラ３１５Ｌと、から構成されている。
【００１０】
左側のアウタレール３２０Ｌ及びインナレール３１０Ｌは右側のものと略対称形状に形成されている。ただし、図示した従来例では、左側のアウタレール３２０Ｌは、図９に示すように右側のアウタレール３２０Ｒのローラ脱落防止部片３２３Ｒに対応する部材を備えてない。
【００１１】
これら左右のインナレール３１０Ｌ，３１０Ｒの各突片３１２Ｌ，３１２Ｒと各インナ側ローラ３１５Ｌ，３１５Ｒとがアウタレール３２０Ｌ、３２０Ｒの内部領域Ｓ１，Ｓ２（図７及び図９参照）に入った状態で、インナ側ローラ３１５Ｌ，３１５Ｒがアウタレール３２０Ｌ，３２０Ｒの下片３２４Ｌ，３２４Ｒに載り、インナレール３１０Ｌ，３１０Ｒの突片３１２Ｌ，３１２Ｒがアウタ側ローラ３２５Ｌ，３２５Ｒに載ることでインナレール３１０Ｌ，３１０Ｒはアウタレール３２０Ｌ，３２０Ｒに支持される。引出し２００の開閉時には、インナレール３１０Ｌ，３１０Ｒがアウタレール３２０Ｌ，３２０Ｒに対して前後方向に移動する。このとき、アウタ側ローラ３２５Ｌ，３２５Ｒ及びインナ側ローラ３１５Ｌ，３１５Ｒが回転することでインナレール３１０Ｌ，３１０Ｒがアウタレール３２０Ｌ，３２０Ｒに対して円滑に移動する。
【００１２】
引出し２００の開操作による引出しの脱出を防止するためにインナレール３１０Ｌ，３１０Ｒの突片３１２Ｌ，３１２Ｒのインナ側ローラ３１５Ｌ，３１５Ｒ寄りの位置に第１規制部３３０Ｌ，３３０Ｒが設けられている。第１規制部３３０Ｌ，３３０Ｒは、引出し２００の開操作により、インナレール後部のインナ側ローラ３１５Ｌ，３１５Ｒがアウタ側ローラ３２５Ｌ，３２５Ｒに近接することも防止している。
【００１３】
第１規制部３３０Ｌ，３３０Ｒは、図６（Ｂ）及び図８（Ｂ）に示すように、各インナレール３１０Ｌ，３１０Ｒの突片３１２Ｌ，３１２Ｒの後部領域から下方に突出した二つの凸部で構成されている。引出し２００の開操作時にアウタ側ローラ３２５Ｌ，３２５Ｒが凸部に当接すると、引出し２００の開操作が規制される。この状態で、さらに引出しの開操作を続けると、アウタ側ローラ３２５Ｌ，３２５Ｒが一つ目の凸部を乗り越えるが、二つ目の凸部で再度、開操作が規制される。
【００１４】
このようなレール部材３００を備えたキャビネット１００において、引出し２００を最も開いた状態から引出し２００を閉じるとき前板２１０の左端部を押すと、図１０に示すようにキャビネット１００に対して引出し２００が回転する。このとき、左側のインナ側ローラ３１５Ｌがアウタレール３２０Ｌから脱落すると、引出し２００を動かせなくなる。この引出し２００の回転を観察すると、引出し２００の前板２１０の左端部を押したときには、右側のアウタ側ローラ３２５Ｒとインナ側ローラ３１５Ｒとの間隔は殆ど変わらないが、左側のアウタ側ローラ３２５Ｒとインナ側ローラ３１５Ｒとの間隔が広がっている。すなわち、引き出しは右側のインナ側ローラ周辺を中心として回転している、といえる。この引出しの回転は、引出しの前板の左端を押す、すなわち、アウタレールにローラ脱落防止片が設けられていない側から力を加えた場合に発生し、右側のアウタ側ローラとインナ側ローラとの間隔が狭いほど発生しやすい。
【００１５】
このような、引出しの回転によって引出しの移動ができなくなることの問題を考慮した特許文献１が存在する。
【００１６】
特許文献１には収納キャビネット用引出しが開示されており、左右のキャビネット側レールの内、一方側のみにローラ脱落防止片が前後に亘って備えられ、ローラ脱落防止片を備えていないレール側のキャビネット及び引出しに、引出しを開けた位置において引出し側レールをキャビネット側レールの方へ案内するガイド手段を備えている。
【先行技術文献】
【特許文献】
【００１７】
【特許文献１】特開２００８−１７８６１７号公報
【発明の概要】
【発明が解決しようとする課題】
【００１８】
しかし、特許文献１では、キャビネットと引出しとにそれぞれ、引出しの回転防止専用の金具、つまりガイド手段を取り付ける作業が必要である。このため、この技術では、部品点数が増加する、組立て工数が増加するという課題があった。
【００１９】
本発明は、上記課題に鑑み、キャビネットと引出しとに回転防止専用の部品を取り付けることなく、引出しの回転を防止できるキャビネットを提供することを目的とする。
【課題を解決するための手段】
【００２０】
上記目的を達成するため、本発明は、レール部材によって引き出し自在に設けられた引出しを備えたキャビネットであって、レール部材が、引出しの左右側面に設けられるインナレールと、インナレールをガイドすると共にキャビネットの左右側板の内面に設けられるアウタレールと、から成り、インナレールは、上縁から横方向に突出したインナ側突片と、後部にインナ側ローラと、を有し、アウタレールは、インナ側突片を載せるアウタ側ローラを前部に設けるとともに、下縁から横方向に突出してインナ側ローラを載せるアウタ側突片を設け、一方のアウタレールはインナレール用のローラ脱落防止片を有し、ローラ脱落防止片を有するアウタレールによってガイドされるインナレールは引出しの背板よりも後側へ突出して形成されている。
【００２１】
本発明のキャビネットにおいて、インナ側突片は、インナ側ローラ寄りの位置に、アウタ側ローラがインナ側ローラに近づくことを防止する第１規制部を有し、さらに、第１規制部によるインナ側ローラとアウタ側ローラとの間隔よりも広い間隔位置で、インナ側ローラがアウタ側ローラへ近づくことを防止する第２規制部を有する。
【発明の効果】
【００２２】
本発明によれば、アウタレールにローラ脱落防止片が設けられていない側から力を加えて引出しを閉じるときに、例えば前板の左側端部を押しても、引出しを開けた状態で各側のアウタ側ローラ３２５Ｌ，３２５Ｒとインナ側ローラ３１５Ｌ，３１５Ｒとの間隔が広く確保されているため、引出しの回転を防止できる。
【図面の簡単な説明】
【００２３】
【図１】本発明の第１実施形態に係るキャビネットの引出しの部分斜視図である。
【図２】本発明の第１実施形態に係るキャビネットの部分斜視図である。
【図３】本発明の第１実施形態に係るキャビネットの断面図である。
【図４】本発明の第２実施形態に係るキャビネットの断面図である。
【図５】（Ａ）は引出しを閉じた状態の従来のキャビネットの断面図、（Ｂ）は引出しを開けた状態の従来のキャビネットの断面図である。
【図６】（Ａ）は従来の右側のアウタレール、（Ｂ）は従来の右側のインナレールを示す図である。
【図７】図６（Ａ）のＡ−Ａ線に沿った右側のアウタレールの断面図である。
【図８】（Ａ）は従来の左側のアウタレール、（Ｂ）は従来の左側のインナレールを示す図である。
【図９】図８（Ａ）のＢ−Ｂ線に沿った左側のアウタレールの断面図である。
【図１０】従来のキャビネットの課題を説明するための断面図である。
【発明を実施するための形態】
【００２４】
以下、本発明の実施の形態について図面を参照しつつ詳細に説明する。なお、従来技術の部材と同一又は同等の部材には同じ符号を付して、その詳細な説明を省略する。
【００２５】
〔第１実施形態〕
図１は本発明の第１実施形態に係るキャビネット１０の引出し２０の部分斜視図であり、図２は本発明の実施形態に係るキャビネット１０の部分斜視図である。なお、図２では引出し２０の表示を省略している。
【００２６】
引出し２０は、底板２１と、前板２２と、背板２３と、左右の側板２４Ｌ，２４Ｒと、正面板２２と背板２３とを連結する棒材２５と、正面板２２と底板２１とを連結する金具２６と、を備えている。なお、図１では左側板２４Ｌの表示を省略している。
【００２７】
本実施形態に係る引出し２０では、左右の側板２４Ｌ，２４Ｒがそれぞれインナレール３１０Ｌ，３１０Ｒで構成されている。
【００２８】
このインナレール３１０Ｌ，３１０Ｒをガイドするアウタレール３２０Ｌ，３２０Ｒが、図２に示すように、キャビネット１０の左右の側板１１Ｌ，１１Ｒの内面に取り付けられている。なお、図面では天板や左側板１１Ｌやその内面に取り付けられる左側のアウタレール３２０Ｌの表示を省略している。図２中の１５は給水管，給湯管，排水管などの配管を収容する配管ボックスであり、この配管ボックス１５の上面に配管を通す穴が形成され、配管はこの穴を通って例えば天板に設けた水栓などと接続されている。
【００２９】
以上の構成は従来構造と同様であるが、本実施形態では図１及び図３に示すように、ローラ脱落防止片３２３Ｒ（図７参照）を有する右側のアウタレール３２０Ｒによってガイドされるインナレール３１０Ｒが背板２３よりも後側に突出して形成されている。左側のインナレール３１０Ｌは、図３に示すように、右側のものより短く、具体的には背板２３から後側へ突出しないように長さが選定されている。
【００３０】
図３に示すように、引出し２０が閉じた状態で右側のインナレール３１０Ｒの後部は引出し２０の背板２３から配管ボックス１５の手前までの領域Ｓ３内に納まるよう、背板２３からの突出量が選定されている。このように長さを調整した理由は、配管ボックス１５の上方領域にまでインナレール３１０Ｒが延出していると、例えば配管ボックス１５から上方へ延びた配管（図示省略）と当たるおそれがあるからである。
【００３１】
さらに、本実施形態に係るキャビネット１０において、第１規制部３３０Ｌ，３３０Ｒ（図６（Ｂ）及び図８（Ｂ）参照）で規制されるインナ側ローラ３１５Ｌ，３１５Ｒとアウタ側ローラ３２５Ｌ，３２５Ｒとの間隔よりも広い間隔位置で、インナ側ローラ３１５Ｌ，３１５Ｒがアウタ側ローラ３２５Ｌ，３２５Ｒへ近づくことを防止する第２規制部３０を有する。
【００３２】
第２規制部３０は、引出し２０に設けた回動片３１と、キャビネットに設けたストッパピン３２と、から構成されている。
【００３３】
回動片３１は、図１に示すように引出し２０の背板２３の左右各端部に基部を軸部材４１で取り付けられている。この回動片３１を取り付ける背板２３はインナレール３１０Ｌ，３１０Ｒよりも寸法が高く選定されており、回動片３１はインナレール３１０Ｌ，３１０Ｒで覆われずに露呈する背板２３の端部に取り付けられる。回動片３１の先端部は、軸部材４１の位置より前板２２側の位置でインナレール３１０Ｌ，３１０Ｒの突片３１２Ｌ，３１２Ｒに当接している。このような構成により、回動片３１は、その先端部をさらに下側へ押しては回転できないようになっている。
【００３４】
ストッパピン３２は、図２に示すようにキャビネット１０の側板１１Ｒの内面に設けられている。このストッパピン３２は、引出し２０を開ける際、上記回動片３１が移動する軌跡上に設けられており、引出し２０を一定量引出すと回動片３１に衝接し、引出し２０の開操作を規制する。これにより、インナ側ローラ３１５Ｌ，３１５Ｒがアウタ側ローラ３２５Ｌ，３２５Ｒへ近づくことを防止している。ストッパピン３２は、第１規制部３３０Ｌ，３３０Ｒで規制されるインナ側ローラ３１５Ｌ，３１５Ｒとアウタ側ローラ３２５Ｌ，３２５Ｒとの間隔よりも広い間隔、例えば５０ｍｍ〜１００ｍｍ程度広い間隔位置で、インナ側ローラ３１５Ｌ，３１５Ｒがアウタ側ローラ３２５Ｌ，３２５Ｒへ近づくことを防止するよう、その取付位置が選定されている。
【００３５】
以上のように構成された本実施形態に係るキャビネット１０によれば、引出し２０を閉じるときに、アウタレールにローラ脱落防止片が設けられていない側、すなわち前板２２の左側端部を押しても、引出し２０を開けた状態で力を加える側とは反対側のアウタ側ローラ３２５Ｒとインナ側ローラ３１５Ｒとの間隔が広く確保されているため、つまり、前側のアウタ側ローラ３２５Ｒと後側のインナ側ローラ３１５Ｒとの距離が従来の構造に比べて、例えば５０ｍｍ〜１００程度広いため、引出し２０を回転させずにそのまま閉じることができる。これは、引出し２０の前板２２の左端部を押しても、その力が引出し２０を回転させる力として働かず、左右各側のインナレール３１０Ｌ，３１０Ｒの移動用の力として働くことになるからと考えられる。
【００３６】
第２規制部３０を備えることで、アウタ側ローラ３２５Ｌ，３２５Ｒとインナ側ローラ３１５Ｌ，３１５Ｒとの広い間隔を確実に確保できる。これにより、第１規制部によるローラ間の間隔よりも広くできるので、引出しに重い物品を入れた状態で引出し２０を開けても、引出し２０が前下がりに傾斜することなく安定した状態で引出しを開けることができる。
【００３７】
〔第２実施形態〕
図４は本発明の第２実施形態に係るキャビネット１０Ａの概略断面図である。前述の第１実施形態ではインナレール３１０Ｌ，３１０Ｒが引出し２０の左右の側板を兼ねていたが、第２実施形態に係る引出し２０Ａでは、インナレール３１０Ｌ，３１０Ｒとは別個の側板２９Ｌ，２９Ｒを有し、この側板２９Ｌ，２９Ｒにインナレール３１０Ｌ，３１０Ｒが取り付けられている。
この引出し２０Ａも、インナレール３１０Ｌ，３１０Ｒが引出し２０Ａの背板２３や側板２９Ｌ，２９Ｒの後端より後側へ突出している。
本第２実施形態でも、第１実施形態と同様に、引出し２０Ａを円滑に閉じることができる。
【００３８】
以上説明したが、本発明は発明の趣旨を逸脱しない範囲において様々な形態で実施をすることができる。
【００３９】
本発明は、システムキッチンや洗面化粧台を構成するキャビネットに適用できる。
さらに、前述の構成例では、キャビネットの右側のレール部材がローラ脱落防止片を有する場合を説明したが、ローラ脱落防止片を左側のアウタレールに備え右側のアウタレールに備えずに構成する場合には、左側のインナレールが引出しの背板より後側へ突出するように構成される。
【符号の説明】
【００４０】
１０，１０Ａ  キャビネット
１１Ｌ，１１Ｒ  側板
１５  配管ボックス
２０，２０Ａ  引出し
２１  底板
２２  前板
２３  背板
２４Ｌ，２４Ｒ，２９Ｌ，２９Ｒ  側板
２５  棒材
２６  金具
３０  第２規制部
３１  回動片
３２  ストッパピン
４１  軸部材
３１０Ｌ，３１０Ｒ  インナレール
３２０Ｌ，３２０Ｒ  アウタレール
【図１】
2011161171.tif 000003
【図２】
2011161171.tif 000004
【図３】
2011161171.tif 000005
【図４】
2011161171.tif 000006
【図５】
2011161171.tif 000007
【図６】
2011161171.tif 000008
【図７】
2011161171.tif 000009
【図８】
2011161171.tif 000010
【図９】
2011161171.tif 000011
【図１０】
2011161171.tif 000012